(57)【要約】【課題】ＬＥＤへの過大電流を防止できるＬＥＤ電源装置を提供する。【解決手段】ＬＥＤ電源装置１０は、整流器ＤＢと、ＬＥＤ１２へ電力を供給する出力電源調整回路１３と、ドライブ回路１４と、ＬＥＤ１２に流れる電流を検出することによりＬＥＤ１２の有無を判定し、ＬＥＤ１２のない状態を検出するとドライブ回路１４を停止するように動作する停止制御回路１６と、整流後の電圧をモニターし停止制御回路１６を制御するマスク回路１７とを備え、整流後の電圧がマスク回路１７の所定値以下の場合は、停止制御回路１６を動作禁止としない。【選択図】図１
2012244737.tif 000002
【特許請求の範囲】
【請求項１】
交流電源を整流する整流器と、
ＬＥＤへ電力を供給するためのスイッチ素子を含む出力電源調整回路と、
前記スイッチ素子をドライブするドライブ回路と、
前記ＬＥＤに流れる電流を検出することにより前記ＬＥＤの有無を判定し、前記ＬＥＤのない状態を検出すると前記ドライブ回路を停止するように動作する停止制御回路と、
整流後の電圧をモニターし前記停止制御回路を制御するマスク回路とを備え、
前記整流後の電圧が前記マスク回路の所定値以下の場合は、前記停止制御回路を動作禁止としないＬＥＤ電源装置。
【請求項２】
請求項１に記載のＬＥＤ電源装置において、
前記マスク回路は、所定値以下の場合に、前記スイッチ素子をドライブするドライブ回路に対して停止信号を出力するＬＥＤ電源装置。
【請求項３】
請求項１または請求項２に記載のＬＥＤ電源装置において、
整流された全波整流電圧を略一定に平滑する平滑回路と、
前記ＬＥＤに対し所望の電力を取り出せるように動作する降圧チョッパ回路と、
前記降圧チョッパ回路から取り出される電圧を平滑する出力平滑回路とを備え、
前記停止制御回路内にタイマー回路を有し、
前記マスク回路は、平滑電圧が所定値以下となっても、前記ドライブ回路への停止信号を出力し続けるとともに、平滑電源を引き抜くように動作する平滑回路に接続された放電回路を有するＬＥＤ電源装置。
【発明の詳細な説明】
【技術分野】
【０００１】
本発明は、ＬＥＤを光源とするＬＥＤ電源装置に関する。
【背景技術】
【０００２】
従来より、整流回路と、整流回路の出力端間に接続され定電流を出力する電力供給回路と、電力供給回路の出力端間に直列接続された複数のＬＥＤとを備えるＬＥＤ電源装置が知られている（例えば、特許文献１参照）。
特許文献１は、平滑コンデンサと、平滑コンデンサの両端電圧を降圧する降圧チョッパ回路とを備える。
【先行技術文献】
【特許文献】
【０００３】
【特許文献１】特開２００９−３３０９８号公報（図１、段落００３３,００３４）
【発明の概要】
【発明が解決しようとする課題】
【０００４】
通常、降圧チョッパ回路の出力平滑コンデンサは出力電流リップルを低減するため、比較的大きい容量のものとなっている。
そのため、電源を切っても放電に時間を要し、特にＬＥＤの外し後に電源を切った場合は積極的な放電回路が無い場合、放電に数秒以上の時間を要している。
また、ＬＥＤへの過電圧印加を防止するために、ＬＥＤ両端電圧の過電圧を検出して降圧チョッパ回路のドライブを停止させる手段を有するものもある。
しかし、過電圧を検出するレベルとしては、ＬＥＤの総順方向電圧よりも高く設定されており、ＬＥＤの外し後、すぐに再装着されるとＬＥＤに過大電流が流れ、ＬＥＤ素子を破損する虞があった。
【０００５】
そこで、このような問題を解決するために、図４に示すように、交流電源を全波整流する整流回路ＤＢと、整流された脈流電圧を平滑する平滑回路５１とを備えるＬＥＤ電源装置５０が提案されている。
このような従来のＬＥＤ電源装置５０は、平滑された電圧を電源としてＬＥＤ５２に略一定となるように電流を流す降圧チョッパ回路５３を備える。
また、このような従来のＬＥＤ電源装置５０は、ＬＥＤ電流をモニターし、ＬＥＤ電流が略ゼロとなると降圧チョッパ回路５３のスイッチＳＷ５１をドライブするドライブ回路５４を停止させる停止制御回路５５を備える。
【０００６】
そして、このような従来のＬＥＤ電源装置５０は、平滑回路５１の電圧をモニターし、図５中の時点Ｔ５１から図５中の時点Ｔ５２までの電源投入から所定時間までの間に、停止制御回路５５が動作しないように制御するマスク回路５６を備える。
このような従来のＬＥＤ電源装置５０において、マスク回路５６は、図５中の時点Ｔ５２において、平滑回路５１の電圧が所定電圧以上になると停止制御回路５５が動作開始するように動作する。
また、このような従来のＬＥＤ電源装置５０において、マスク回路５６は、図５中の時点Ｔ５３の以後の時点Ｔ５４において、平滑回路５１の電圧が所定電圧以下になると停止制御回路５５が動作できなくなるように動作する。
【０００７】
このような従来のＬＥＤ電源装置５０は、ＬＥＤ５２が接続された状態での電源のオンでは、図５中の時点Ｔ５１の以後の時点Ｔ５２においての電源の投入直後から、平滑回路５１による平滑電圧がマスク回路５６の所定電圧を超える。
そのため、このような従来のＬＥＤ電源装置５０は、無負荷を検出した場合に降圧チョッパ回路５３のドライブ回路５４を停止させるための停止制御回路５５が動作しないように制御する。
そして、このような従来のＬＥＤ電源装置５０は、所定時間の経過以降の図５中の時点Ｔ５８に無負荷状態を検出すると、停止制御回路５５により降圧チョッパ回路５３のドライブ回路５４を停止させ、必要以上に降圧チョッパ出力が上昇しないようにする。
【０００８】
一方、このような従来のＬＥＤ電源装置５０は、図５中の時点Ｔ５９の以後の図５中の時点Ｔ６０におけるＬＥＤ５２が接続された状態で電源がオフされる。
すると、このような従来のＬＥＤ電源装置５０は、図５中の時点Ｔ６０における電源のオフ後、平滑回路５１の平滑電圧がＬＥＤ５２の消費により徐々に低下していく。
そのため、このような従来のＬＥＤ電源装置５０は、図５中の時点Ｔ６１において、平滑電圧がマスク回路５６の所定電圧以下になると、マスク回路５６は停止制御回路５５の動作を禁止する。
これにより、このような従来のＬＥＤ電源装置５０は、停止制御回路５５による無負荷検出が動作できなくなるが、降圧チョッパ回路５３は動作したままでＬＥＤ５２の消費があるために、電源のオフ後、比較的短時間で平滑電圧は低下する。
【０００９】
ところが、このような従来のＬＥＤ電源装置５０は、電源が印加された状態で、ＬＥＤ５２が脱着されると、ＬＥＤ５２の再装着を認識する回路を有さないために、自動で点灯復帰せず、停止制御回路５５がドライブ回路５４を停止させた状態を維持する。
このような従来のＬＥＤ電源装置５０は、この状態で電源がオフされると、ドライブ回路５４が停止したままであるので、平滑電圧の消費が少なくなり、ＬＥＤ５２が装着されている時に比べて緩やかな放電となる。
【００１０】
ここで、このような従来のＬＥＤ電源装置５０は、平滑電圧がマスク回路５６の所定電圧以下となると、マスク回路５６は停止制御回路５５を動作させないように動作するために、停止していたドライブ回路５４が動作を再開する。
そのため、このような従来のＬＥＤ電源装置５０は、ドライブ回路５４の動作により降圧チョッパ回路５３が動作してＬＥＤ５２に定格以上の電流が流れる。
従って、このような従来のＬＥＤ電源装置５０は、ＬＥＤ５２が破損することがありうる。
【００１１】
これは、このような従来のＬＥＤ電源装置５０が、電源の電圧の瞬間的降下や瞬時停止に対して、マスク回路５６が誤動作しないようにするために、所定電圧を、ドライブ回路５４が動作する電圧よりも高く設定しているのが原因である。
そのため、このような従来のＬＥＤ電源装置５０において、マスク回路５６の動作中は、停止制御回路５５による負荷有無の判定を無効にして誤動作を回避するのに有効な手段ではある。
しかし、このような従来のＬＥＤ電源装置５０は、マスク回路５６による停止制御回路５５の抑制時間が長いほど、停止制御回路５５が機能するタイミングが遅くなる。
【００１２】
そして、このような従来のＬＥＤ電源装置５０は、その間にＬＥＤ５２の脱着がされると、降圧チョッパ回路５３が停止せずに、出力側のコンデンサＣ５２にＬＥＤ５２の総順方向電圧よりも高い電圧が充電される。
そのため、このような従来のＬＥＤ電源装置５０は、ＬＥＤ５２の装着時に過大電流が流れてＬＥＤ５２の破損の虞がある。
【００１３】
また、このような従来のＬＥＤ電源装置５０は、電源のオフ後に、マスク回路５６のオフ時に電源の平滑コンデンサＣ５１の電圧がドライブ回路５４の動作閾値に対して上回る。
そして、このような従来のＬＥＤ電源装置５０は、停止制御回路５５による停止を維持できずに、ドライブ回路５４による発振を再び開始してしまう。
このとき、このような従来のＬＥＤ電源装置５０は、停止制御回路５５が動作していないために、短期間ではあるが、ＬＥＤ５２へ過大電流が流れる。
【００１４】
そこで、このような従来のＬＥＤ電源装置５０は、電源のオフ後のマスク回路５６の保持時間を長くすることにより、この現象は回避できる。
しかし、このような従来のＬＥＤ電源装置５０は、マスク回路５４の動作中のＬＥＤ５２の脱着による過大電流が発生しやすくなる。
【００１５】
このように、このような従来のＬＥＤ電源装置５０は、電源の電圧が印加されている状態でＬＥＤ５２を脱着された場合、平滑電源の電圧が保持された状態で停止制御回路５５が動作する。
そして、このような従来のＬＥＤ電源装置５０は、電源のオフ後に、マスク回路５６の動作閾値を下回った時点でマスク回路５６が動作を再開する。
そのため、このような従来のＬＥＤ電源装置５０は、停止制御回路５５の出力が禁止されて平滑電圧の残留成分でドライブ回路５４が起動し、ＬＥＤ５２に過大電流が流れる。
【００１６】
本発明は、前述した課題を解決するためになされたものであり、その目的は、ＬＥＤへの過大電流を防止できるＬＥＤ電源装置を提供することにある。
【課題を解決するための手段】
【００１７】
本発明に係るＬＥＤ電源装置は、交流電源を整流する整流器と、ＬＥＤへ電力を供給するためのスイッチ素子を含む出力電源調整回路と、前記スイッチ素子をドライブするドライブ回路と、前記ＬＥＤに流れる電流を検出することにより前記ＬＥＤの有無を判定し、前記ＬＥＤのない状態を検出すると前記ドライブ回路を停止するように動作する停止制御回路と、整流後の電圧をモニターし前記停止制御回路を制御するマスク回路とを備え、前記整流後の電圧が前記マスク回路の所定値以下の場合は、前記停止制御回路を動作禁止としない。
【００１８】
本発明に係るＬＥＤ電源装置は、前記マスク回路は、所定値以下の場合に、前記スイッチ素子をドライブするドライブ回路に対して停止信号を出力する。
【００１９】
本発明に係るＬＥＤ電源装置は、整流された全波整流電圧を略一定に平滑する平滑回路と、前記ＬＥＤに対し所望の電力を取り出せるように動作する降圧チョッパ回路と、前記降圧チョッパ回路から取り出される電圧を平滑する出力平滑回路とを備え、前記停止制御回路内にタイマー回路を有し、前記マスク回路は、平滑電圧が所定値以下となっても、前記ドライブ回路への停止信号を出力し続けるとともに、平滑電源を引き抜くように動作する平滑回路に接続された放電回路を有する。
【発明の効果】
【００２０】
本発明に係るＬＥＤ電源装置によれば、ＬＥＤへの過大電流を防止できるという効果を奏する。
【図面の簡単な説明】
【００２１】
【図１】本発明に係る第１実施形態のＬＥＤ電源装置のブロック構成図
【図２】本発明に係る第２実施形態のＬＥＤ電源装置のブロック構成図
【図３】本発明に係る第３実施形態のＬＥＤ電源装置のブロック構成図
【図４】従来のＬＥＤ電源装置のブロック構成図
【図５】従来のＬＥＤ電源装置のタイミングチャート
【発明を実施するための形態】
【００２２】
以下、本発明に係る複数の実施形態のＬＥＤ電源装置について図面を参照して説明する。
（第１実施形態）
図１に示すように、本発明に係る第１実施形態のＬＥＤ電源装置１０は、交流電源を整流するダイオードブリッジである整流器ＤＢと、整流された全波整流電圧を略一定に平滑する平滑回路１１とを備える。
ＬＥＤ電源装置１０は、スイッチ素子ＳＷ１を含み、負荷であるＬＥＤ１２に対し所望の電力を取り出せるように動作する出力電源調整回路である降圧チョッパ回路１３と、スイッチ素子ＳＷ１をドライブするドライブ回路１４とを備える。
ＬＥＤ電源装置１０は、降圧チョッパ回路１３から取り出される電圧を平滑する出力平滑回路１５と、ＬＥＤ１２のない状態を検出するとドライブ回路１４を停止するように動作する停止制御回路１６とを備える。
ＬＥＤ電源装置１０は、整流後の電圧をモニターして停止制御回路１６を制御するマスク回路１７を備える。
【００２３】
平滑回路１１は、平滑コンデンサＣ１から構成される。
マスク回路１７は、ＮＰＮ型トランジスタであるスイッチング素子Ｑ１と、ＮＰＮ型トランジスタであるスイッチング素子Ｑ２と、ＮＰＮ型トランジスタであるスッチング素子Ｑ３とを備える。
マスク回路１７は、コンデンサＣ２と、コンデンサＣ３と、電解コンデンサＣ４と、ツェナダイオードＺＤ１と、抵抗Ｒ１と、抵抗Ｒ２と、抵抗Ｒ３と、抵抗Ｒ４と、抵抗Ｒ７と、抵抗Ｒ８とから構成される。
【００２４】
スイッチ素子ＳＷ１は、ドライブ回路１４の駆動により、停止制御回路１６に有するインダクタＬ１への電力を遮断する。
降圧チョッパ回路１３は、スイッチ素子ＳＷ１と、インダクタＬ１と、ダイオードＤ４とから構成される。
【００２５】
ドライブ回路１４は、停止制御回路１６に有するスイッチング素子Ｑ３のコレクタに接続されている。
出力平滑回路１５は、平滑コンデンサＣ５と、抵抗Ｒ９とから構成される。
出力平滑回路１５は、出力がＬＥＤ１２に接続される。
停止制御回路１６は、ＮＰＮ型トランジスタであるスイッチング素子Ｑ３と、ＮＰＮ型トランジスタであるスイッチング素子Ｑ４とから構成される。
【００２６】
次に、ＬＥＤ電源装置１０の動作について説明する。
電源投入後、マスク回路１７の閾値を超えることにより、スイッチング素子Ｑ１がオンする。スイッチング素子Ｑ１のオンによりスイッチング素子Ｑ２がオフする。
そのため、スイッチング素子Ｑ２のオフによりスイッチング素子Ｑ３にベース電流が与えられないためにスイッチング素子Ｑ４がオフする。
【００２７】
そして、スイッチング素子Ｑ４のオフによりスイッチング素子Ｑ３がオンし、ドライブ回路１４を停止する。
このとき、スイッチング素子Ｑ１のベースに構成されている時定数よりも大きい時定数を有するスイッチング素子Ｑ５からなる第１タイマー回路１８の閾値を超えて動作を開始する。
そのため、電源電圧が印加されている状態では、スイッチング素子Ｑ１は、スイッチング素子Ｑ５からのベース電流の供給により常時オンする。
【００２８】
一方、ＬＥＤ１２が接続された状態で、電源がオフされても、スイッチング素子Ｑ４はオンしているために、スイッチング素子Ｑ３によるドライブ回路１４の停止はない。
そして、ドライブ回路１４は、動作閾値まで動作し続けるため、平滑された平滑電圧は比較的早く下降し、ドライブ回路１４は動作を停止する。
このように、ＬＥＤ電源装置１０は、ＬＥＤ１２の有無、停止制御回路１６の動作状態によらず、電源オフを検出し、出力平滑回路１５から供給されるマスク回路１７への信号を遮断する。
【００２９】
電源がオンの状態で、ＬＥＤ１２が脱着された場合、マスク回路１７の所定値を下回っても大きい時定数を持つスイッチング素子Ｑ５がオンを続ける。
そのため、スイッチング素子Ｑ１をオンとし、スイッチング素子Ｑ２による停止制御回路１６のスイッチング素子Ｑ３のベース電流を引き抜くことがない。
これにより、マスク回路１７の所定値を下回っても、平滑電圧がドライブ回路１４の動作閾値以下になるまで、ドライブ回路１４の停止状態を維持できる。
従って、降圧チョッパ回路１３が再始動して、ＬＥＤ１２に過電流が流れることを防止できる。
【００３０】
なお、第１実施形態のＬＥＤ電源装置１０では、スイッチング素子Ｑ５にトランジスタを用いて構成した。
しかし、平滑電圧がドライブ回路１４の動作閾値以上の場合に、スイッチング素子Ｑ１のオンを持続できる構成であればよい。
そうすれば、電源オンの状態で、ＬＥＤ１２が脱着されても、ドライブ回路１４が再始動することはなく、ＬＥＤ１２への過電流の印加を防止できる。
また、第１実施形態のＬＥＤ電源装置１０では、スイッチング素子Ｑ１のオンを持続させたが、ＬＥＤ１２へ過電流が印加されるときにスイッチング素子Ｑ２をオフさせる構成でも同様に過電流の印加を防止できる。
さらに、第１実施形態のＬＥＤ電源装置１０では、停止制御回路１６と、マスク回路１７と、第１タイマー回路１８とにトランジスタを使用しているが、スイッチ要素を持つ電子部品であれば、トランジスタ以外にＭＯＳＦＥＴやマイコンなどを適用できる。
【００３１】
以上、説明したように第１実施形態のＬＥＤ電源装置１０によれば、ＬＥＤ１２の有無を検出して無負荷時に降圧チョッパ回路１３の発振を停止することにより、再装着時にＬＥＤ１２に流れる過大電流を防止できる。
また、第１実施形態のＬＥＤ電源装置１０によれば、ＬＥＤ１２の故障時等に想定される電源のオンのままでのＬＥＤ１２の脱着時においても、降圧チョッパ回路１３の動作を停止することにより、ＬＥＤ１２への過大電流を防止できる。
【００３２】
そして、第１実施形態のＬＥＤ電源装置１０によれば、マイコン等の高価な電子部品を使用しなくても、ＬＥＤ１２の過大電流を防止できるので、安価に製造できる。
【００３３】
（第２実施形態）
次に、本発明に係る第２実施形態のＬＥＤ電源装置について説明する。
なお、以下の各実施形態において、前述した第１実施形態と重複する構成要素や機能的に同様な構成要素については、図中に同一符号あるいは相当符号を付することによって説明を簡略化あるいは省略する。
【００３４】
図２に示すように、本発明に係る第２実施形態のＬＥＤ電源装置２０は、平滑電圧がマスク回路１７の所定値以下になった場合、マスク回路１７および停止制御回路１６の状態に関わらず、ドライブ回路１４を停止させる停止信号をだす制御回路２１を備える。
【００３５】
制御回路２１は、ダイオードＤ１と、ダイオードＤ２とから構成される。
ダイオードＤ１は、カソードがスイッチング素子Ｑ２のコレクタに接続され、アノードがドライブ回路１４に接続される。
ダイオードＤ２は、カソードがスイッチング素子Ｑ２のコレクタに接続され、アノードが停止制御回路１６のスイッチング素子Ｑ４のコレクタに接続される。
【００３６】
次に、ＬＥＤ電源装置２０の動作について説明する。
ＬＥＤ１２が接続された状態において、電源がオンされると、平滑回路１１で平滑された平滑電圧がドライブ回路１４の動作閾値に上昇するまでにマスク回路１７は動作を開始する。
そのため、所定時間の経過後に、スイッチング素子Ｑ１がオフからオンされ、スイッチング素子Ｑ２がオンからオフされる。
これにより、ＬＥＤ１２は点灯を継続し、停止制御回路１６は、ＬＥＤ１２が外されるまで動作を停止する。
【００３７】
ＬＥＤ１２が接続されている状態において、電源がオフされると、平滑電圧がマスク回路１７の所定値に下降するまでは、スイッチング素子Ｑ１がオン、スイッチング素子Ｑ２がオフを継続する。
そのため、ドライブ回路１４の動作閾値までドライブ回路１４が動作するため、平滑電圧は消費により速やかに下降し、マスク回路１７の所定値以下になる。
これにより、スイッチング素子Ｑ１がオフされ、スイッチング素子Ｑ２がオンされてスイッチング素子Ｑ３のベース電流が遮断される。
しかし、制御回路２１のダイオードＤ１を通じてスイッチング素子Ｑ３のベース電流が生成されてドライブ回路１４を停止できる。
【００３８】
一方、電源がオンのまま、ＬＥＤ１２を脱着した場合、ＬＥＤ１２を外された時点で停止制御回路１６が動作し、ドライブ回路１４を停止し続ける。
その後に、電源がオフされると、ドライブ回路１４が停止したままであり、ＬＥＤ１２での消費がないために、平滑電圧はマスク回路１４の所定値まで緩やかに低下していく。
そして、平滑電圧が所定値以下になると、スイッチング素子Ｑ１がオフ、スイッチング素子Ｑ２がオンとなる。
しかし、スイッチング素子Ｑ２のオンによりダイオードＤ１を介してドライブ回路１４を停止させる。
そのため、平滑電圧がマスク回路１７の所定値を下回り、マスク回路１７がリセットされてもドライブ回路１４が再起動し、ＬＥＤ１２への過電流を防止できる。
【００３９】
第２実施形態のＬＥＤ電源装置２０によれば、マスク回路１７が、所定値以下の場合に、スイッチ素子ＳＷ１をドライブするドライブ回路１４に対して停止信号を出力する。
また、第２実施形態のＬＥＤ電源装置２０によれば、ＬＥＤ１２の有無を検出して無負荷時に降圧チョッパ回路１３の発振を停止することにより、再装着時にＬＥＤ１２に流れる過大電流を防止できる。
そして、第２実施形態のＬＥＤ電源装置２０によれば、ＬＥＤ１２の故障時等に想定される電源のオンのままでのＬＥＤ１２の脱着時においても、降圧チョッパ回路１３の動作を停止することにより、ＬＥＤ１２への過大電流を防止できる。
【００４０】
そして、第２実施形態のＬＥＤ電源装置２０によれば、安価な素子であるダイオードＤ１およびダイオードＤ２により制御回路２１を構成できるために、コスト面で有利に製造できる。
【００４１】
（第３実施形態）
次に、本発明に係る第３実施形態のＬＥＤ電源装置について説明する。
図３に示すように、本発明に係る第３実施形態のＬＥＤ電源装置３０は、スイッチング素子Ｑ５と、電解コンデンサＣ６と、ダイオードＤ３とから構成される第２タイマー回路３１を備える。
ＬＥＤ電源装置３０は、マスク回路１７が、平滑電圧が所定値以下となっても、ドライブ回路１４への停止信号を出力し続けるとともに、平滑電源を引き抜くように動作する平滑回路１１に接続された放電回路３２を備える。
放電回路３２は、抵抗Ｒ１１と、ＰＮＰ型トランジスタであるスイッチング素子Ｑ６とから構成される。
【００４２】
次に、ＬＥＤ電源装置３０の動作について説明する。
ＬＥＤ電源装置３０は、電源がオンのまま、ＬＥＤ１２を脱着後、電源がオフされた場合を考慮する。
第２タイマー回路３１は、停止制御回路１６の動作中に電解コンデンサＣ６が充電される。
電源のオフ後、平滑電圧が緩やかに低下し、マスク回路１７のスイッチング素子Ｑ１がオフでスイッチング素子Ｑ２がオンしようとしても、スイッチング素子Ｑ６によってスイッチング素子Ｑ２のベース電流が引き抜かれている。
そのため、スイッチング素子Ｑ２はオンできずに、停止制御回路１６を停止させない。
【００４３】
第２タイマー回路３１で決められる所定時間が経過してスイッチング素子Ｑ２がオンすると、スイッチング素子Ｑ６にベース電流が与えられるために、放電回路３２が動作する。
そのため、平滑された降圧チョッパ回路１３の電源を早く低下でき、短時間でドライブ回路１４の動作閾値以下にできるために、ドライブ回路１４による降圧チョッパ回路１３の再起動を防止してＬＥＤ１２への過電流を防止できる。
【００４４】
第３実施形態のＬＥＤ電源装置３０によれば、第２タイマー回路３１で決められる所定時間が経過してスイッチング素子Ｑ２がオンとなると、放電回路３２が動作する。
そして、第３実施形態のＬＥＤ電源装置３０によれば、平滑された降圧チョッパ回路１３の電源を早く低下でき、短時間でドライブ回路１４の動作閾値以下にできる。
従って、第３実施形態のＬＥＤ電源装置３０によれば、ドライブ回路１４による降圧チョッパ回路１３の再起動を防止してＬＥＤ１２への過電流を防止できる。
【００４５】
なお、本発明のＬＥＤ電源装置において整流器，平滑回路等は、前述した各実施形態に限定されるものでなく、適宜な変形や改良等が可能である。
【符号の説明】
【００４６】
１０，２０，３０  ＬＥＤ電源装置
１１  平滑回路
１２  ＬＥＤ（負荷）
１３  降圧チョッパ回路（出力電源調整回路）
１４  ドライブ回路
１５  出力平滑回路
１６  停止制御回路
１７  マスク回路
３１  第２タイマー回路（タイマー回路）
３２  放電回路
ＤＢ  ダイオードブリッジ（整流器）
ＳＷ１  スイッチ素子
【図１】
2012244737.tif 000003
【図２】
2012244737.tif 000004
【図３】
2012244737.tif 000005
【図４】
2012244737.tif 000006
【図５】
2012244737.tif 000007